(57)【要約】      （修正有）【課題】生産作業時にパッドの加熱後の膨張破裂の確率を減らし、生産品質を確保できる一体熱圧成形の複合式ブラジャーカップを提供する。【解決手段】外クッション体２１、内クッション体２２、バッグ２３１、バッグ外表面に固定され且つ軟性熱不良導体で形成されたバッグ被覆層２３２、及び内クッション体、外クッション体の挟持面に配設された接着材料層２３３を具えている。該接着材料層がバッグ被覆層表面を内クッション体と外クッション体の所定位置に接合させ、並びに熱圧成形用型で高温で一体成形される。高温の型の熱量が内クッション体、外クッション体を通して伝えられ、バッグ被覆層により緩和並びに隔離され、熱量が低減されてバッグに伝えられ、バッグの熱膨張変形幅が制限され、そのためバッグのカップ熱圧成形中の変形熱溶融による破損漏出が防止され、バッグの完全性が確保され、製品の歩留りが高められる。【選択図】図３
0003109295.tif 000002
【実用新案登録請求の範囲】
【請求項１】
外クッション体、内クッション体、内容物が装填されたバッグ、及び、バッグ被覆層で構成され、バッグ及びバッグ被覆層が内クッション体と外クッション体に挟まれた中間層の所定位置に介装され、バッグが靱性を具えた薄膜の周囲を密封してなる一体熱圧成形の複合式ブラジャーカップにおいて、
バッグの薄膜表面に固定されるバッグ被覆層は軟性の熱不良導体材料で形成され、並びに内クッション体、外クッション体とバッグ被覆層の接合面に接着材料層が配設されて、バッグ被覆層表面が一体熱圧成形により内クッション体、外クッション体内部に接着されたことを特徴とする、一体熱圧成形の複合式ブラジャーカップ。
【請求項２】
請求項１記載の一体熱圧成形の複合式ブラジャーカップにおいて、内クッション体、外クッション体が熱圧成形されたスポンジ或いは綿のいずれかで形成されたことを特徴とする、一体熱圧成形の複合式ブラジャーカップ。
【請求項３】
請求項１記載の一体熱圧成形の複合式ブラジャーカップにおいて、内クッション体の外表面に内織物層が、外クッション体の外表面に外織物層が接合されたことを特徴とする、一体熱圧成形の複合式ブラジャーカップ。
【請求項４】
請求項１記載の一体熱圧成形の複合式ブラジャーカップにおいて、バッグ被覆層に採用される熱不良導体材料が布製品とされたことを特徴とする、一体熱圧成形の複合式ブラジャーカップ。
【請求項５】
請求項１記載の一体熱圧成形の複合式ブラジャーカップにおいて、バッグ内容物が気体、油液、及び乳液のいずれかとされたことを特徴とする、一体熱圧成形の複合式ブラジャーカップ。
【請求項６】
請求項１記載の一体熱圧成形の複合式ブラジャーカップにおいて、バッグ内容物が少なくとも二種類の材料を混合してなることを特徴とする、一体熱圧成形の複合式ブラジャーカップ。
【請求項７】
請求項１記載の一体熱圧成形の複合式ブラジャーカップにおいて、接着材料層が熱硬化型樹脂とされたことを特徴とする、一体熱圧成形の複合式ブラジャーカップ。
【請求項８】
請求項１記載の一体熱圧成形の複合式ブラジャーカップにおいて、内クッション体と外クッション体の間のバッグ被覆層とその接合面に配設される接着材料層が一体成形の女性用下着の左右カップの連通部に延設されたことを特徴とする、一体熱圧成形の複合式ブラジャーカップ。
【考案の詳細な説明】
【技術分野】
【０００１】
本考案は一種のカップに係り、特に、女性が着用して身体曲線を美化するのに供される一体熱圧成形の複合式ブラジャーカップに関する。
【背景技術】
【０００２】
社会観念の開放に伴い、現代女性の自主意識は次第に台頭し、自身のスタイルに対しても更に積極的な態度を現出するため、多くの女性は衣服の選択を特に研究している。ゆえにメーカーは女性に更に多様な製品を提供するため、積極的に機能と美観上の改良と変化性を追求している。
【０００３】
近年、女子のブラジャーの設計には、寄せて上げる効果が追求される傾向にあり、構造上は、ブラジャー内にパッドを増設し、パッドを利用して胸型を調整することで、視覚上の美観を達成している。図１と図２を参照されたい。現在、周知の技術は、カップの前後の織物１１、１２の内面にそれぞれ一層のスポンジ１４、１４’が結合され、前後の織物１１、１２の間の所定の位置に軟性パッド１３が置かれる。このような軟性パッド１３は２片の強靱な樹脂膜１３１（最も常用される材料はポリウレタン）で液体１３２或いは空気を密封してなり、上型３’と下型３を利用し、高温加圧の方式でスポンジ１４、１４’と軟性パッド１３が結合され所定の円弧を有するカップが形成される。
【０００４】
女性がこのようなカップを着用した後には理想的な胸の寄せ上げ効果を達成できるが、メーカーにとっては、製造フロー中に克服すべき多くの技術的問題がある。特に、このようなカップは型を利用し摂氏２００度にも達する高温で加圧成形するが、軟性パッド１３が２層のスポンジ１４、１４’の間に包囲されて、熱圧加工時に直接上型３’或いは下型３に接触しないとはいえ、樹脂膜１３１の耐熱温度は摂氏１５０度程度であり、加工温度が高過ぎると、樹脂膜１３１が溶融し破裂する問題を非常に発生させやすい。その程度が厳重なものは、検査により取り除くことができるが、破裂状況が軽微で、特に液体１３２を密封したもので、現場で検査管理できないものは、運搬過程中に液体１３２が漏れてその他の隣接する商品を濡らす場合があり、また、洗濯過程で液体１３２が漏れてその他の衣類を汚染する問題が発生し得て、カップ生産の品質管理上、相当に大きなマイナスの影響を形成する。このため、いかに軟性パッド１３の変形破裂の可能性を減らして製品品質を維持して作業歩留りを高めて、製品の加工過程でキズを形成させにくくするかが、メーカーの努力する目標である。
【考案の開示】
【考案が解決しようとする課題】
【０００５】
本考案の目的は、女性の胸部曲線の美観を支持するほか、生産作業時にパッドの加熱後の膨張破裂の確率を減らし、生産品質を確保できる一体熱圧成形の複合式ブラジャーカップを提供することにある。
【課題を解決するための手段】
【０００６】
請求項１の考案は、外クッション体、内クッション体、内容物が装填されたバッグ、及び、バッグ被覆層で構成され、バッグ及びバッグ被覆層が内クッション体と外クッション体に挟まれた中間層の所定位置に介装され、バッグが靱性を具えた薄膜の周囲を密封してなる一体熱圧成形の複合式ブラジャーカップにおいて、
バッグの薄膜表面に固定されるバッグ被覆層は軟性の熱不良導体材料で形成され、並びに内クッション体、外クッション体とバッグ被覆層の接合面に接着材料層が配設されて、バッグ被覆層表面が一体熱圧成形により内クッション体、外クッション体内部に接着されたことを特徴とする、一体熱圧成形の複合式ブラジャーカップとしている。
請求項２の考案は、請求項１記載の一体熱圧成形の複合式ブラジャーカップにおいて、内クッション体、外クッション体が熱圧成形されたスポンジ或いは綿のいずれかで形成されたことを特徴とする、一体熱圧成形の複合式ブラジャーカップとしている。
請求項３の考案は、請求項１記載の一体熱圧成形の複合式ブラジャーカップにおいて、内クッション体の外表面に内織物層が、外クッション体の外表面に外織物層が接合されたことを特徴とする、一体熱圧成形の複合式ブラジャーカップとしている。
請求項４の考案は、請求項１記載の一体熱圧成形の複合式ブラジャーカップにおいて、バッグ被覆層に採用される熱不良導体材料が布製品とされたことを特徴とする、一体熱圧成形の複合式ブラジャーカップとしている。
請求項５の考案は、請求項１記載の一体熱圧成形の複合式ブラジャーカップにおいて、バッグ内容物が気体、油液、及び乳液のいずれかとされたことを特徴とする、一体熱圧成形の複合式ブラジャーカップとしている。
請求項６の考案は、請求項１記載の一体熱圧成形の複合式ブラジャーカップにおいて、バッグ内容物が少なくとも二種類の材料を混合してなることを特徴とする、一体熱圧成形の複合式ブラジャーカップとしている。
請求項７の考案は、請求項１記載の一体熱圧成形の複合式ブラジャーカップにおいて、接着材料層が熱硬化型樹脂とされたことを特徴とする、一体熱圧成形の複合式ブラジャーカップとしている。
請求項８の考案は、請求項１記載の一体熱圧成形の複合式ブラジャーカップにおいて、内クッション体と外クッション体の間のバッグ被覆層とその接合面に配設される接着材料層が一体成形の女性用下着の左右カップの連通部に延設されたことを特徴とする、一体熱圧成形の複合式ブラジャーカップとしている。
【考案の効果】
【０００７】
本考案の熱圧成形の複合式ブラジャーカップは、バッグ外のバッグ被覆層によるバッグの変形及び過熱の制限により、パッドに破裂損壊を発生させにくく、該バッグ内容物を漏出させにくい。また、バッグが作業温度過高による局部変形溶融しても、溶融状態のバッグ材料が一部バッグ被覆層内に注入されて隔離を形成し、内容物の続けての漏洩を防止する。本考案はこれによりカップ製品の歩留りを高めることができ、且つパッドに恒常的に僅かな突出状態を保持させられ、女性が着用時に完全なバスト形状を保持でき、自然な曲線を形成できる。
【考案を実施するための最良の形態】
【０００８】
本考案の複合式ブラジャーカップは、外クッション体、内クッション体、内容物が充填されたバッグ、バッグ被覆層及び接着材料層を具えている。そのうち、該バッグとバッグ被覆層は内クッション体と外クッション体に挟まれた中間層の所定位置に介在し、該バッグは強靱な薄膜で周囲が密封されてなり、該バッグ被覆層は薄膜表面に固定され、且つ軟性熱不良導体で形成されている。該接着材料層は内クッション体、外クッション体とバッグ被覆層の結合面に配設されて、バッグ被覆層表面を内クッション体、外クッション体に挟まれた内部の所定位置に接合させる。該バッグ被覆層は熱不良導体とされ、成形用型の熱量が内クッション体、外クッション体より良好な熱伝導性を具備しないバッグ被覆層に伝導される時、バッグへの熱量伝導が隔離並びに緩和され、これによりバッグの熱膨張程度が制限され、バッグの過度の膨張による破裂が防止され、バッグの完全性が確保され、熱圧加工により得られるカップの不良品率が大幅に低減される。
【実施例１】
【０００９】
図３及び図４を参照されたい。本考案の熱圧成形の複合式ブラジャーカップ２の好ましい実施例によると、それは、外クッション体２１、内クッション体２２、及びパッド２３を具えている。該カップ２は二つずつが対称に配列され並びに肩紐が縫い付けられて女性の着用に供される。
【００１０】
そのうち、該外クッション体２１は外織物層２１１、及び外発泡層２１２を具えている。本実施例で採用する外織物層２１１は綿布で形成され、且つ外発泡層２１２の外表面に接合されている。該内クッション体２２は内織物層２２１と、内発泡層２２２を具え、外織物層２１１と同様に、該内織物層２２１もまた綿布で形成され、並びに該内発泡層２２２の外表面に接合されている。
【００１１】
内クッション体２２と外クッション体２１を組み合わせて熱圧成形する時、該内クッション体２２の内発泡層２２２は外クッション体２１の外発泡層２１２に向けられる。注意すべきことは、内発泡層２２２、外発泡層２１２はいずれも綿に交換可能で、綿とスポンジは同様に熱成形できる特性を有する。
【００１２】
該パッド２３はバッグ２３１、バッグ被覆層２３２、及び接着材料層２３３を具えている。そのうち、バッグ２３１は２片の樹脂膜（本実施例の樹脂膜はポリウレタンで形成されるが、樹脂、シリコン樹脂とゴムのいずれかとされうる）を高周波溶接で周囲を密封してなり、且つバッグ２３１内には油液、気体、或いは乳液材料（図示せず）、或いはその二種類以上の混合物が封入される。全体のパッド２３の外形は自然にやや隆起する態様とされ、本実施例ではバッグ２３１中に油液が充填されている。
【００１３】
該バッグ被覆層２３２は熱不良導体の軟性材料で形成され、且つ完全に該バッグ２３１の外周面を被覆する。本実施例では綿布がバッグ被覆層２３２の材料として採用されているが、実際の実施上は、綿布に限定されるわけではなく、その他の布材或いは材質もまた本考案で選択可能な熱不良導体材料とされうる。該接着材料層２３３は熱圧加工前に、二つの部分に分けられて該内発泡層２２２、外発泡層２１２とバッグ被覆層２３２の対向する接合面に配設され、本実施例で選択される接着材料層２３３は熱硬化型樹脂とされる。
【００１４】
以下に図２の上型３’と下型３を例として本考案の成形過程を説明する。まず、外クッション体２１を下型３の下凹円弧面中に置き、外クッション体２１の外織物層２１１を円弧面に当接させ、該外発泡層２１２が上向きとする。続いて、パッド２３を外クッション体２１の上の所定位置に置く。
【００１５】
最後に、パッド２３の上方に、内クッション体２２を置き、パッド２３のバッグ被覆層２３２の外表面を内クッション体２２、外クッション体２１で上下より被覆する。このとき、接着材料層２３３は完全にはバッグ被覆層２３２の外表面に接着されていない。すべての部品を下型３内に置いてから、上型３’を駆動し下向きに移動させる。
【００１６】
上型３’、下型３を設定温度に加熱し、これにより上型３’、下型３を圧接させた後に、高温を利用して優美な円弧を有する外観を形成する。また、熱硬化型樹脂で構成された接着材料層２３３が加熱後に強力な接着性を具備して緊密にバッグ被覆層２３２周囲を被覆し、内発泡層２２２、外発泡層２１２を緊密にバッグ被覆層２３２の外表面に接着させる。
【００１７】
高熱環境中にあって、内発泡層２２２、外発泡層２１２は接着層の接着力により接合される。最後に、上型３’、下型３より製品を取り出せば（図４参照）、熱圧接合作業を完成する。
【００１８】
高温加圧成形過程にあって、高温熱圧の手段の採用により内発泡層２２２、外発泡層２１２の接合を促進でき、また全体のパッド２２、外クッション体２１の結合を円弧状とし、女性の胸部曲線にフィットするものとなすことができる。
【００１９】
さらに、バッグ被覆層２３２は外側より全体のバッグ２３１を被覆し、さらに該バッグ被覆層２３２は熱不良導体で形成されていることから、上型３’、下型３自身の熱量は、まず外クッション体２１と内クッション体２２に吸収されてから逐次バッグ被覆層２３２及びバッグ２３１に伝えられ、すなわちカップ２の中心位置に向けて伝導される。熱量がバッグ２３１に到達する前に、熱不良伝導性のバッグ被覆層２３２により熱量伝導効率が減少され、熱量が急速にバッグ被覆層２３２を通過してバッグ２３１に到達せず、バッグ２３１により熱量伝導が緩減され、且つバッグ２３１の熱量の吸収が減少されて、大幅にバッグ２３１自身の変形の幅が減らされる。
【００２０】
こうして、高温環境下で、バッグ２３１に外形上の変化が発生しにくくなり、バッグ２３１が熱膨張しても、バッグ被覆層２３２がバッグ２３１の変形の幅を制限してバッグ２３１の過度の膨張を防止し、直接にバッグ２３１の破裂の危険性を減らす。注意すべきことは、本実施例のバッグ２３１内には油液が充填されているが、バッグ２３１内の充填材料は本実施例により制限されるものではないことである。もし空気を充填すれば、その膨張係数は比較的高いが、バッグ被覆層２３２がバッグ２３１の膨張の幅を制限するため、バッグ２３１の変形量を制限できる。
【００２１】
また一方で、バッグ２３１材料が過熱により局部溶融すると、流態状のポリウレタンが一部バッグ被覆層２３２の繊維間隙内に注入されて、ポリウレタン材料及び接着材料層２３３及び繊維の交叉により密閉性の隔離が形成され、バッグ２３１内の充填液体或いは空気の流出或いは漏出を遮断でき、充填液体の続けての漏出が防止され、パッド２３がもとの自然の突出状を失わず、カップ２の女性のバスト曲線を支持する機能を確保できる。
【００２２】
上述したように、本考案の熱圧成形の複合式ブラジャーカップは、バッグ２３１外のバッグ被覆層２３２によるバッグ２３１の変形及び過熱の制限により、パッド２３に破裂損壊を発生させにくく、該バッグ２３１内容物を漏出させにくい。また、バッグ２３１が作業温度過高による局部変形溶融しても、溶融状態のバッグ２３１材料が一部バッグ被覆層２３２内に注入されて隔離を形成し、内容物の続けての漏洩を防止する。本考案はこれによりカップ２製品の歩留りを高めることができ、且つパッド２３に恒常的に僅かな突出状態を保持させられ、女性が着用時に完全なバスト形状を保持でき、自然な曲線を形成し、ゆえに本考案は実用新案登録の要件を具備している。
【００２３】
以上の実施例は本考案の実施範囲を限定するものではなく、本考案に基づきなしうる細部の修飾或いは改変は、いずれも本考案の請求範囲に属するものとする。
【図面の簡単な説明】
【００２４】
【図１】周知のカップの立体分解図である。
【図２】現在利用されている上型と下型を利用したカップ成形作業の製造表示図である。
【図３】本考案の好ましい実施例の立体分解図である。
【図４】本考案の使用状態断面図である。
【符号の説明】
【００２５】
１１  織物            ２１２  外発泡層
１２  織物            ２２  内クッション体
１３  軟性パッド      ２２１  内織物層
１３１  樹脂膜        ２２２  内発泡層
１４  スポンジ        ２３１  バッグ
１４’  スポンジ      ２３２  バッグ被覆層
２  カップ            ２３３  接着材料層
２１  外クッション体  ３  下型
２１１  外織物層      ３’  上型
【図１】
0003109295.tif 000003
【図２】
0003109295.tif 000004
【図３】
0003109295.tif 000005
【図４】
0003109295.tif 000006